(57)【特許請求の範囲】
【請求項１】
被捺染物を捺染するフラットスクリーン捺染装置におけるスキージの昇降機構であって、
前記被捺染物の上方で往復動するスキージキャリアと、
前記スキージキャリアの往復動方向に沿って設けられた歯を有する直線状歯車部と、
前記スキージキャリアに回転可能に設置され、前記直線状歯車部の歯と噛み合うプーリと、
前記スキージキャリアに上下動可能に支持される第１及び第２のスキージと、
前記スキージキャリアに設置され、前記プーリの回転運動を直線運動に変換して前記第１及び第２のスキージに伝達する伝達手段と、を備え、
前記伝達手段は、前記スキージキャリアが第１の方向に走行するとき前記第１のスキージを上昇させるとともに前記第２のスキージを下降させ、前記スキージキャリアが第２の方向に走行するとき前記第１のスキージを下降させるとともに前記第２のスキージを上昇させる、スキージ昇降機構。
【請求項２】
前記プーリは２つであり、
前記伝達手段は、
前記各プーリに一方向クラッチを介して接続された２つのピニオンと、
長さ方向に移動可能となるよう前記スキージキャリアに設置され、前記各ピニオンと噛み合う２つの歯部、及び前記２つの歯部を挟むように形成された２つの欠歯部を有するラックと、
前記ラックの移動によって回転する回転部材と、
前記回転部材の時計回りの回転により下降し、反時計回りの回転により上昇する、第１のスキージを支持する第１の昇降部材と、
前記回転部材の時計回りの回転により上昇し、反時計回りの回転により下降する、第２のスキージを支持する第２の昇降部材と、を有し、
前記一方の一方向クラッチは、前記プーリが時計回りに回転することで前記プーリの回転を前記ピニオンに伝達し、前記他方の一方向クラッチは、前記プーリが反時計回りに回転することで前記プーリの回転を前記ピニオンに伝達する、請求項１に記載のスキージ昇降機構。
【請求項３】
前記ラックはカムが形成されており、
前記回転部材は、カムフォロアである、請求項２に記載のスキージ昇降機構。
【請求項４】
前記直線状歯車部は、両端部が弾性体を介して前記フラットスクリーン捺染装置本体に取り付けられる、請求項１〜３のいずれかに記載のスキージ昇降機構。
【請求項５】
前記ピニオンは、欠歯ピニオンである、請求項２又は３に記載のスキージ昇降機構。
【請求項６】
前記スキージキャリア及び前記ラックは、それぞれ磁石を有しており、
前記ラックが移動方向の各端部において前記ラック側磁石及びスキージキャリア側磁石が引き合う、請求項２、３、５のいずれかに記載のスキージ昇降機構。
【請求項７】
請求項１〜６のいずれかに記載のスキージ昇降機構を備えた、フラットスクリーン捺染装置。 
【発明の詳細な説明】
【技術分野】
【０００１】
本発明は、スキージ昇降機構、及びこのスキージ昇降機構を備えたフラットスクリーン捺染装置に関するものである。
【背景技術】
【０００２】
フラットスクリーン捺染装置は、一般的にエンドレスベルトによって搬送される布帛に対して、スクリーンを介して染料を押し出して布帛を捺染する構成をとっている。より詳細には、布帛の搬送方向と直行する方向である布帛の幅方向に往復動する２つのスキージが設けられており、この２つのスキージの間に染料を投入する。そして、第１の方向にスキージを走行させる際は、進行方向先方側のスキージをスクリーンから所定距離上昇させるとともに、進行方向後方側のスキージを下降させてスクリーンに対して湾曲するまで押しつける。この後方側のスキージの押圧によって、スクリーンを透して染料を押し出し布帛に浸透させる。この状態でスキージが布帛の幅方向端部まで走行すると、続いて第１の方向と反対方向の第２の方向へとスキージは走行する。このとき、第１の方向に走行する際に上昇していたスキージを下降させ、下降していたスキージを上昇させる（例えば特許文献１参照）。このように、フラットスクリーン捺染装置では、布帛を捺染する間、スキージが昇降動作を繰り返す。
【先行技術文献】
【特許文献】
【０００３】
【特許文献１】特許第２９３６４６６号公報
【発明の概要】
【発明が解決しようとする課題】
【０００４】
上記スキージの昇降機構について説明すると、まず、特許文献１の図１０に示されるように、伝動機構１０８が左方に引っ張られることでロッド１２１が左方に摺動してピニオン１２９が回転する。その結果、第１の支持部材１３０が押し下げられるとともに第２の支持部材１３０’が持ち上げられることで、スキージ１１４Ａがスクリーン１１８に接圧され、スキージ１１４Ａ’が持ち上げられる。また、伝動機構１０８が右方に引っ張られることで左方に引っ張られる場合と逆の動作が行われる。このように伝動機構１０８を左右に引っ張ることでスキージの昇降動作を行うが、伝動機構１０８を引っ張った際にロッド１２１がその方向に摺動する前にスキージキャリア１１０がその方向にすぐに動いてしまうと、スキージの昇降動作も行われなくなってしまう。
【０００５】
このため、このスキージキャリア１１０が容易に動かないように、ガイドレール１０９と接触するブレーキ機構をスキージキャリアに設けている。このブレーキ機構を常に作動させることで、伝動機構１０８を引っ張るとロッド１２１がその方向に摺動し、その後スキージキャリア１１０がその方向に移動するように構成されている。しかしながら、このようにブレーキ機構を常に作動させていることで、スキージキャリア１１０を移動させるための力が余分に必要となり非効率的であるという問題があった。
【０００６】
そこで、本発明は、より効率的にスキージの昇降動作を行うことのできるスキージ昇降機構及びこれを備えたフラットスクリーン捺染装置を提供することを課題とする。
【課題を解決するための手段】
【０００７】
本発明に係るスキージ昇降機構は、被捺染物を捺染するフラットスクリーン捺染装置におけるスキージの昇降機構であって、前記被捺染物の上方で往復動するスキージキャリアと、前記スキージキャリアの往復動方向に沿って設けられた歯を有する直線状歯車部と、前記スキージキャリアに回転可能に設置され、前記直線状歯車部の歯と噛み合うプーリと、前記スキージキャリアに上下動可能に支持される第１及び第２のスキージと、前記プーリの回転運動を直線運動に変換して前記第１及び第２のスキージに伝達する伝達手段と、を備え、前記伝達手段は、前記スキージキャリアが第１の方向に走行するとき前記第１のスキージを上昇させるとともに前記第２のスキージを下降させ、前記スキージキャリアが第２の方向に走行するとき前記第１のスキージを下降させるとともに前記第２のスキージを上昇させるように構成されている。
【０００８】
上述したスキージ昇降機構によれば、スキージキャリアが走行することによって直線状歯車部と噛み合うプーリが回転し、その結果、各スキージを昇降させることができる。このように、ブレーキ機構を設ける必要がないため、効率的にスキージを昇降させることができる。また、本発明に係るスキージ昇降機構は、スキージキャリアを駆動させるための駆動源を利用してスキージを昇降させることができ、スキージを昇降させるために新たな駆動源を設置する必要がない。なお、上述した直線状歯車部とは、タイミングベルトやラックなどを含む概念である。また、第1及び第２のスキージは、スキージキャリアによって、直接支持されていてもよいし、間に他の部材を介して間接的に支持されていてもよい。
【０００９】
上記スキージ昇降機構は種々の構成をとることができ、例えば、上記プーリは２つとし、伝達手段は、前記各プーリに一方向クラッチを介して接続された２つのピニオンと、長さ方向に移動可能となるよう前記スキージキャリアに設置され、前記各ピニオンと噛み合う２つの歯部、及び前記２つの歯部を挟むように形成された２つの欠歯部を有するラックと、前記ラックの移動によって回転する回転部材と、前記回転部材の時計回りの回転により下降し、反時計回りの回転により上昇する、第１のスキージを支持する第１の昇降部材と、前記回転部材の時計回りの回転により上昇し、反時計回りの回転により下降する、第２のスキージを支持する第２の昇降部材と、を有し、前記一方の一方向クラッチは、前記プーリが時計回りに回転することで前記プーリの回転を前記ピニオンに伝達し、前記他方の一方向クラッチは、前記プーリが反時計回りに回転することで前記プーリの回転を前記ピニオンに伝達するような構成とすることができる。なお、上記回転部材はカムフォロアやピニオンなどを含む概念であり、回転部材をカムフォロアとした場合はラックにカムを形成し、回転部材をピニオンとした場合はラックにこのピニオンと噛み合うための歯部を形成する。また、上記各昇降部材は、各スキージを直接的に支持していてもよいし、間に他の部材を介して間接的に支持していてもよい。
【００１０】
また、上記直線状歯車部は、スキージキャリアが走行方向を転換させるときの衝撃を軽減させるために、両端部が弾性体を介してフラットスクリーン捺染装置本体に取り付けられる構成とすることが好ましい。
【００１１】
また、上記ピニオンは、ラックとの噛み合いをスムーズにする観点から欠歯ピニオンであることが好ましい。
【００１２】
また、上記スキージキャリア及びラックは、それぞれ磁石を有しており、ラックが移動方向の各端部において前記ラック側磁石及びスキージキャリア側磁石が引き合うような構成とすることができる。この構成によれば、ラックの停止位置を安定させることができる。
【００１３】
また、本発明に係るフラットスクリーン捺染装置は、上記いずれかのスキージ昇降機構を備えている。
【発明の効果】
【００１４】
本発明によれば、効率的にスキージを昇降させることのできるスキージ昇降機構及びこれを備えたフラットスクリーン捺染装置を提供することができる。
【図面の簡単な説明】
【００１５】
【図１】図１は本実施形態に係るフラットスクリーン捺染装置の平面図である。
【図２】図２は本実施形態に係るスキージキャリアが左側へと走行する状態における図１のＡ−Ａ視図である。
【図３】図３は本実施形態に係るスキージキャリアが右側へと走行する状態における図１のＡ−Ａ視図である。
【図４】図４は本実施形態に係るスキージキャリアが左側へと走行する状態における図１のＡ−Ａ視図であり、図解を容易にするために一部の部材を省略したものである。
【図５】図５は図４のＣ−Ｃ線断面図である。
【図６】図６は図２のＢ−Ｂ線断面図である。
【図７】図７は図４のＤ−Ｄ線断面図である。
【図８】図８は本実施形態に係るスキージキャリアが端部に位置する状態における図１のＡ−Ａ視図であり、図解を容易にするために一部の部材を省略したものである。
【図９】図９は本実施形態に係るスキージキャリアが右側へと走行する状態における図１のＡ−Ａ視図であり、図解を容易にするために一部の部材を省略したものである。
【図１０】図１０は本実施形態に係るスキージキャリアが左側へと走行する状態における図１のＡ−Ａ視図であり、図解を容易にするために、カムフォロアと昇降部材との関係を主に示した部分断面図である。
【図１１】図１１は本実施形態に係るラックを示した正面図である。
【図１２】図１２は本実施形態に係るカムフォロアを示した正面図である。
【図１３】図１３は本実施形態に係るスキージキャリアが右側へと走行する状態における図１のＡ−Ａ視図であり、図解を容易にするために、カムフォロアと昇降部材との関係を主に示した部分断面図である。
【発明を実施するための形態】
【００１６】
以下、本発明に係るスキージ昇降機構及びこれを備えたフラットスクリーン捺染装置の実施形態について図面を参照しつつ説明する。
【００１７】
図１に示すように、フラットスクリーン捺染装置１は、布帛（被捺染物）Ｃなどを搬送するためのエンドレスベルト２と、スクリーン３と、捺染ユニット４と、を主な構成としている。なお、スクリーン３や捺染ユニット４は、エンドレスベルト２に沿って複数設置されているが、本実施形態では1つのみを取り上げて説明する。
【００１８】
エンドレスベルト２は、図１の右から左へと布帛Ｃを間欠的に搬送するように構成されている。このエンドレスベルト２は、フラットスクリーン捺染装置１の両端部に設けられた駆動ローラ（図示省略）によって駆動されている。エンドレスベルト２は、布帛Ｃを載置する表面が粘着性を有しているため、布帛Ｃがベルト２上を滑動することがない。
【００１９】
捺染ユニット４は、布帛Ｃの幅方向（図１の上下方向）にわたって延びる２本のガイドフレーム５と、このガイドフレーム５に沿って走行する２つのスキージキャリア６と、２つのスキージキャリア６間に亘って延びる２つのスキージ７と、を主な構成としている。
【００２０】
スキージキャリア６は、スクリーン３を挟むようにスクリーン３の両側に設置されている。このスキージキャリア６は、ガイドフレーム５に摺動可能に支持されており、より詳細には、スキージキャリア６は上面及び下面にスライドシュー６１を有しており、このスライドシュー６１がガイドフレーム５のレール部５１上をスライドするように構成されている（図５及び図７参照）。また、スキージキャリア６は、駆動ベルト８によってガイドフレーム５に沿って移動する。この駆動ベルト８は駆動モータ９によって回転駆動される駆動軸１０の両端に設けられた駆動プーリ１１によって駆動されている。
【００２１】
この捺染ユニット４は、２本のスキージ７の間に染料を投入した状態でスキージ７を布帛Ｃの幅方向に沿って往復動させることで布帛Ｃを捺染する。図２に示すように、スキージキャリア６が左側へ走行する際は、進行方向先方側（左側）に位置する第２のスキージ７ｂがスクリーン３から所定距離間隔をあけるよう上昇しており、進行方向後方側（右側）に位置する第１のスキージ７ａはスクリーン３に当接して湾曲するよう下降している。そして、図３に示すようにスキージキャリア６が右側へ走行する際は、第１のスキージ７ａが上昇して第２のスキージ７ｂが下降する。このように、布帛Ｃの捺染中、各スキージ７は上昇及び下降を順に繰り返す。
【００２２】
このスキージ７を上昇及び下降させる機構であるスキージ７の昇降機構について説明する。図２及び図３に示すように、タイミングベルト１２（本発明の直線状歯車部に相当）が各ガイドフレーム５に沿って設置されている。タイミングベルト１２は、その両端部がガイドフレーム５に連結されており、このタイミングベルト１２の各端部とガイドフレーム５との間に引っ張りバネなどの弾性体を介在させてもよい。これにより、後述する欠歯ピニオン１５とラック１７との噛合がスムーズになる。
【００２３】
図４〜図６に示すように、スキージキャリア６に回転可能に設置された２つのプーリ１３は、上記タイミングベルト１２と噛み合っている。なお、図４及び図６の右側のプーリ１３を第１のプーリ１３ａ、左側のプーリ１３を第２のプーリ１３ｂとする。これら各プーリ１３は、間に一方向クラッチ１４を介して欠歯ピニオン１５と連結している。より詳細には、図５及び図６に示すように、スキージキャリア６に回転可能に取り付けられた回転軸１６に対して一方向クラッチ１４と欠歯ピニオン１５とが固定されており、この一方向クラッチ１４にプーリ１３が取り付けられている。これら一方向クラッチ１４や欠歯ピニオン１５も、図４及び図６の右側に位置するものを第１の一方向クラッチ１４ａ及び第１の欠歯ピニオン１５ａとし、図４左側に位置するものを第２の一方向クラッチ１４ｂ及び第２のこの一方向クラッチ１５ｂとする。
【００２４】
第１の一方向クラッチ1４ａは、第１のプーリ１３ａが時計周りに回転すると第１のプーリ１３ａと係合してその回転を回転軸１６を介して第１の欠歯ピニオン１５ａへと伝達する。一方で、第１のプーリ１３ａが反時計回りに回転すると、第１の一方向クラッチ１４ａは第１のプーリ１３ａと係合せず、第１のプーリ１３ａは第１の一方向クラッチ１４ａに対して自由回転となり、その回転は第１の欠歯ピニオン１５ａに伝達されない。また、これとは逆に、第２の一方向クラッチ１４ｂは、第２のプーリ１３ｂが反時計回りに回転すると第２のプーリ１３ｂと係合してその回転を第２の欠歯ピニオン１５ｂに伝達するが、第２のプーリ１３ｂが時計回りに回転すると第２の一方向クラッチ１４ｂは第２のプーリ１３ｂと係合しないためにその回転は自由回転となり第２の欠歯ピニオン１５ｂには伝達されない。
【００２５】
これら各欠歯ピニオン１５と噛み合うラック１７がスキージキャリア６に支持されている。より詳細には、ラック１７は、布帛Ｃの幅方向（図４の左右方向）に移動可能となるよう、スキージキャリア６に形成されたガイド部６２によって両端部が支持されている。また、ラック１７は、図１１に示すように、その上面において歯部１７１が２箇所に形成されており、右側にある第１の歯部１７１ａが第１の欠歯ピニオン１５ａと噛み合い、左側にある第２の歯部１７１ｂが第２の欠歯ピニオン１５ｂと噛み合う。これら両歯部１７１を挟むように外側に第１の欠歯部１７２ａ及び第２の欠歯部１７２ｂが形成されている。この欠歯部１７２は、欠歯ピニオン１５と接触することがないよう凹部となっている。
【００２６】
また、ラック１７は、右端部に第１の磁石１７３ａ、左端部に第２の磁石１７３ｂを有しており、例えば図４のように左端まで移動したときは、第２の磁石１７３ｂがスキージキャリア６に支持された磁石６３ｂと引き合うことで、ラック１７を安定してその位置に保持することができる。図９に示すように、右側に移動したときも同様に、第１の磁石１７３ａがスキージキャリア６に支持された磁石６３ａと引き合い、ラック１７をその位置に安定して保持することができる。また、ラック１７は、その両歯部１７１ａ、１７１ｂの間の中央部にカム１７４が形成されており（図７も併せて参照）、このカム１７４が、後述するカムフォロア１８（本発明の回転部材に相当）を回転させる。
【００２７】
カムフォロア１８は、各プーリ１３ａ、１３ｂ間においてスキージキャリア６に回転可能に支持されている。より詳細には、図６及び図７に示すように、カムフォロア１８は、スキージキャリア６に回転可能に設置された回転軸１９に固定されている。この回転軸１９は、先端にピニオン２０を有しており、カムフォロア１８が回転することでピニオン２０も連動して回転する。また、ベアリング２１を介してプーリ２２が回転軸１９に対して自由回転するように取り付けられている。図１２に示すように、カムフォロア１８は、脚部１８１を２つ有しており、この脚部１８１の間において、ラック１７に形成されたカム１７４を収容する凹部１８２を画定している。このカムフォロア１８は、中間位置においては、凹部１８２にカム１７４が収容される（図８参照）。図４に示すようにスキージキャリア６が左側に走行する際は、カムフォロア１８は左の脚部１８１ｂがカム１７４上に位置して時計回りに所定角度回転した状態となっており、図９に示すようにスキージキャリア６が右側に走行する際は、カムフォロア１８は右の脚部１８１ａがカム１７４上に位置して反時計回りに所定角度回転した状態となっている。
【００２８】
図６及び図１０に示すように、ピニオン２０を挟むように、第１及び第２の昇降部材２３ａ、２３ｂが昇降動可能に設置されている。この各昇降部材２３にはピニオン２０と噛み合う歯部が形成されているため、ピニオン２０が時計回りに回転すると、第１の昇降部材２３ａが下降し第２の昇降部材２３ｂが上昇する。また、ピニオン２０が反時計回りに回転すると、第１の昇降部材２３ａが上昇し第２の昇降部材２３ｂが下降する。そして、各昇降部材２３にはブラケット支持部材２４が固定されている。
【００２９】
各昇降部材２３にはブラケット支持部材２４が上下方向に摺動可能に固定されており、このブラケット支持部材２４はブラケット２５を支持している。そして、ブラケット２５にはスキージホルダ２６が取り付けられている。スキージホルダ２６は、図１に示すように対向する２つのスキージキャリア６間を延びており、スキージ７を保持している。なお、ブラケット支持部材２４は高さ調整ノブ２７のスクリュー部２７１と螺合しており、高さ調整ノブ２７を回転させることでブラケット支持部材２４を昇降部材２３に対して上下方向に摺動させることができる。
【００３０】
また、スキージキャリア６には、各欠歯ピニオンの近傍に永久磁石６４が設置されている。この永久磁石６４が磁性材料からなる欠歯ピニオン１５の歯と引き合うことで、欠歯ピニオン１５の回転停止位置を制御することができる。このように欠歯ピニオン１５の回転停止位置を制御することで、欠歯ピニオン１５とラック１７の歯部１７１との噛み合いをスムーズにすることができる。
【００３１】
次に、上述したように構成されたフラットスクリーン捺染装置のスキージ昇降機構の動作について説明する。
【００３２】
まず、図４に示すようにスキージキャリア６が左側に走行するときは、各プーリ１３ａ、１３ｂがタイミングベルト１２と噛み合っているために時計回りに回転する。プーリ１３ａ、１３ｂが時計回りに回転すると、第１の欠歯ピニオン１５ａは第１のプーリ１３ａと同様に時計回りに回転する。なお、第２の欠歯ピニオン１５ｂは一方向クラッチ１４ｂのために第２のプーリ１３ｂの回転が伝達されずプーリ１３ｂの回転による回転はない。
【００３３】
第１の欠歯ピニオン１５ａが時計回りに回転すると、ラック１７の第１の歯部１７１ａが第１の欠歯ピニオン１５ａと噛み合っているため、ラック１７は左側に移動する。そして、ラック１７の第１の欠歯部１７２ａが第１の欠歯ピニオン１５ａと対応する位置に来ると第１の欠歯ピニオン１５ａは第１の欠歯部１７２ａと噛み合わないため自由回転となりラック１７はその位置で停止する。なお、この位置において第２の欠歯ピニオン１５ｂはラック１７の第２の歯部１７１ｂと噛み合っているが、第２の欠歯ピニオン１５ｂは第２のプーリ１３ｂによる回転がないため、ラック１７はそれ以上移動しない。また。ラック１７は、停止したときに第２の磁石１７３ｂがスキージキャリア６に支持されている６３ｂ磁石と引き合うためその停止位置で維持されている。
【００３４】
上述したようにラック１７が左側に移動することで、ラック１７に設けられたカム１７４がカムフォロア１８を所定角度だけ時計回りに回転させる。このときカムフォロア１８は、左の脚部１８１ｂがカム１７４上に載るため、その角度の状態で維持される。このカムフォロア１８が回転すると回転軸１９が同様に回転することで回転軸１９の先端に設けられたピニオン２０も時計回りに所定角度だけ回転する。これにより、図１０に示すように、第１の昇降部材２３ａが下降し、その結果、第１のスキージ７ａが下降してスクリーン３に押しつけられて湾曲した状態となる。また、第２のスキージ７ｂは、第２の昇降部材２３ｂがピニオン２０の回転によって上昇することに伴いスクリーン３から所定距離離れるように上昇する。
【００３５】
スキージキャリア６は、この状態を維持したまま左端まで走行すると、次は、図９に示すように右側へと走行を始める。右側へ走行することによって、各部材が上述したのとは反対方向に作動する。具体的に説明すると、まず、スキージキャリア６が右側へ走行することで各プーリ１３ａ、１３ｂは反時計回りに回転する。このプーリ１３ａ、１３ｂの反時計回りの回転は第２の欠歯ピニオン１５ｂのみに伝えられ、第２の欠歯ピニオン１５ｂの回転によりラック１７は右側に移動する。そして、ラック１７における第２の欠歯部１７２ｂが第２の欠歯ピニオン１５ｂと対応する位置まで来るとラック１７は停止する。なお、このとき第１の欠歯ピニオン１５ａはラック１７の第１の歯部１７１ａと噛み合っているが第１の欠歯ピニオン１５ａには第１のプーリ１３ａからの回転が伝わっていないため、ラック１７はこれ以上移動しない。また、ラック１７は、停止したときに第１の磁石１７３ａがスキージキャリア６に支持される磁石６３ａと引き合うことで安定した状態で停止している。
【００３６】
このようにラック１７が右側に移動することでラック１７のカム１７４と係合するカムフォロア１８は所定角度だけ反時計回りに回転する。このときカムフォロア１８は、右側の脚部１８１ａがカム１７４上に載っていることでその回転角度が維持されている。このカムフォロア１８が反時計回りに回転することでピニオン２０も同様に反時計回りに回転し、図１３に示すように第１の昇降部材２３ａが上昇し、第２の昇降部材２３ｂが下降する。この結果、第１のスキージ７ａが上昇し、第２のスキージ７ｂが下降し、スキージキャリア６が左側に走行するときとは逆の状態となる。この状態でスキージキャリア６が右端まで走行すると、再度、上述したようにスキージキャリア６は左側に走行する。以上のサイクルを繰り返して布帛Ｃの捺染を行う。
【００３７】
以上、本実施形態に係るフラットスクリーン捺染装置によれば、新たに駆動源を設けることなくスキージキャリア６を走行させることでスキージ７を上昇させたり下降させたりすることができる。
【００３８】
以上、本発明の実施形態について説明したが、本発明はこれらに限定されるものではなく、本発明の趣旨を逸脱しない限りにおいて種々の変更が可能である。例えば、上記実施形態において、直線状歯車部としてタイミングベルト１２を採用したが、タイミングベルト１２の代わりに、ラックを採用したり、ガイドフレーム５に直接歯部を形成したりしてもよく、各プーリ１３ａ、１３ｂを回転させることができるものであれば特にこれらに限定されるものではない。
【００３９】
また、上記実施形態のカム１７４は、上述した形状に限られず、例えばラック１７の上面に形成された凸部とすることもできる。また、同様にカムフォロア１８も上述した形状に限定されるものではなく、楕円形や卵型など種々の形状にすることができる。
【符号の説明】
【００４０】
１    フラットスクリーン捺染装置
６    スキージキャリア
７    スキージ
１２  タイミングベルト（直線状歯車部）
１３  プーリ
１４  一方向クラッチ
１５  欠歯ピニオン
１７  ラック
１７１  歯部
１７２  欠歯部
１８  カムフォロア（回転部材）
２３  昇降部材
Ｃ    布帛（被捺染物）
【図１】
0005553656.tif 000002
【図２】
0005553656.tif 000003
【図３】
0005553656.tif 000004
【図４】
0005553656.tif 000005
【図５】
0005553656.tif 000006
【図６】
0005553656.tif 000007
【図７】
0005553656.tif 000008
【図８】
0005553656.tif 000009
【図９】
0005553656.tif 000010
【図１０】
0005553656.tif 000011
【図１１】
0005553656.tif 000012
【図１２】
0005553656.tif 000013
【図１３】
0005553656.tif 000014